(57)【要約】【課題】スイッチング周波数を調整する以外の手法を採用して、より安価にて実現できる音鳴り対策装置およびそれを搭載した電子機器、ワイヤレス充電台を提案する。【解決手段】ＡＣアダプタ（２）とワイヤレス充電台（１）の負荷との間に第１スイッチ（４）が配され、ワイヤレス充電台（１）の負荷に給電可能なバッテリー（８）を備える。制御部（１２）は、ワイヤレス充電台（１）が、被充電端末（３）を充電している状態では、第１スイッチ（４）をＯＮしてＡＣアダプタ（２）と負荷とを電気的に接続し、被充電端末（３）を充電していない状態では、第１スイッチ（４）をＯＦＦして、ＡＣアダプタ（２）と負荷とを電気的に遮断し、バッテリー（８）から給電する。【選択図】図１
2014186557.tif 000002
【特許請求の範囲】
【請求項１】
スイッチング電源装置から給電される電子機器に搭載される音鳴り対策装置であって、
前記スイッチング電源装置と前記電子機器の負荷との間に配置され、前記スイッチング電源装置と前記負荷との電気的な接続の有無を切り替えるスイッチと、
前記スイッチング電源装置によって充電され、前記電子機器の負荷に給電可能なバッテリーと、
前記スイッチを制御する制御部とを備え、
前記制御部は、前記電子機器の負荷の動作状態が、予め定められた音鳴りが発生する動作状態以外では、前記スイッチング電源装置と前記負荷とを電気的に接続し、前記電子機器の負荷の動作状態が、予め定められた音鳴りが発生する動作状態となると、前記スイッチング電源装置と前記負荷との電気的な接続を遮断することを特徴とする音鳴り対策装置。
【請求項２】
前記制御部は、前記電子機器の負荷の動作状態が、予め定められた音鳴りが発生する動作状態であり、前記スイッチング電源装置と前記負荷との電気的な接続を遮断している場合でも、前記バッテリーの容量が予め定められた残量以下となると、前記スイッチング電源装置と前記負荷とを電気的に接続することを特徴とする請求項１に記載の音鳴り対策装置。
【請求項３】
前記請求項１又は２に記載の音鳴り対策装置を備えた電子機器。
【請求項４】
スイッチング電源装置から給電される、被充電端末をワイヤレスで充電するワイヤレス充電台であって、
請求項１又は２に記載の音鳴り対策装置を備え、
前記制御部は、前記被充電端末の充電を行っていない場合に、前記スイッチング電源装置と前記負荷との電気的な接続を遮断し、前記被充電端末の充電を行っている場合に、前記スイッチング電源装置と前記負荷とを電気的に接続することを特徴とするワイヤレス充電台。
【発明の詳細な説明】
【技術分野】
【０００１】
本発明は、スイッチング電源装置にて発生するスイッチング周波数を下げた場合の音鳴りを防止する音鳴り対策装置、電子機器およびワイヤレス充電台に関する。
【背景技術】
【０００２】
携帯端末を充電する充電機器には、携帯端末を置くだけで充電できるワイヤレス充電台がある。ワイヤレス充電台にはＡＣアダプタが接続されており、ＡＣアダプタからワイヤレス充電台の消費電力に応じて電力が供給される。
【０００３】
このようなワイヤレス充電台は、携帯端末が置かれていない状態でも、携帯端末が置かれたかどうかを検出している。携帯端末が置かれたかどうかの検出に使用される電力は、携帯端末を充電するのに使用される電力に比べて小さい。そのため、ＡＣアダプタは、ワイヤレス充電台が携帯端末の充電を行っていない状態では、搭載するスイッチング電源装置のスイッチング周波数を下げて、ワイヤレス充電台へ供給する電力を下げている。
【０００４】
ところが、ＡＣアダプタのスイッチング周波数を下げた場合、その周波数が人間の可聴周波数領域にかかり、ＡＣアダプタから音鳴りが発生するという問題がある。スイッチング電源装置におけるこのような音鳴りの問題は、従前からの課題であり、従来、種々の音鳴り対策が提案されている。
【０００５】
たとえば、特許文献１には、スイッチングのオン時間とオフ時間とを変化させて周波数の調整を行うことで、スイッチング周波数を特定の周波数帯域外とするような周波数制御方法が記載されている。また、特許文献２には、ＰＦＭ（Pulse Frequency Modulation）方式により周波数を変化させることで、スイッチング周波数が可聴周波数領域にかかることを避ける方法が記載されている。
【先行技術文献】
【特許文献】
【０００６】
【特許文献１】特開２０１１‐４５５０号公報  （２０１１年１月６日公開）
【特許文献２】特開２０１０‐６３３２７号公報（２０１０年３月１８日公開）
【発明の概要】
【発明が解決しようとする課題】
【０００７】
しかしながら、上述のような従来の音鳴り対策は、スイッチング周波数による音鳴りを抑制するために、スイッチング周波数そのもの制御して調整している。そのため、スイッチング周波数を調整するための部品や部材等が必要となり、コスト高となる。
【０００８】
本発明は、上記の問題点に鑑みてなされたものであって、その目的は、スイッチング周波数を調整する以外の手法を採用して、より安価にて実現できる音鳴り対策装置およびそれを搭載した電子機器、ワイヤレス充電台を提案することにある。
【課題を解決するための手段】
【０００９】
上記の課題を解決するために、本発明の一態様に係る音鳴り対策装置は、スイッチング電源装置から給電される電子機器に搭載される音鳴り対策装置であって、前記スイッチング電源装置と前記電子機器の負荷との間に配置され、前記スイッチング電源装置と前記負荷との電気的な接続の有無を切り替えるスイッチと、前記スイッチング電源装置によって充電され、前記電子機器の負荷に給電可能なバッテリーと、前記スイッチを制御する制御部とを備え、前記制御部は、前記電子機器の負荷の動作状態が、予め定められた音鳴りが発生する動作状態以外では、前記スイッチング電源装置と前記負荷とを電気的に接続し、前記電子機器の負荷の動作状態が、予め定められた音鳴りが発生する動作状態となると、前記スイッチング電源装置と前記負荷との電気的な接続を遮断することを特徴としている。
【発明の効果】
【００１０】
本発明の一態様によれば、スイッチング電源装置のスイッチング周波数を調整することなくスイッチング電源装置の音鳴りを防止できるので、音鳴り防止が安価にて実現できるという効果を奏する。
【図面の簡単な説明】
【００１１】
【図１】本発明の一実施形態に係る音鳴り対策装置を搭載したワイヤレス充電台の構成を示すブロック図である。
【図２】上記ワイヤレス充電台における制御部による第２スイッチのＯＮ/ＯＦＦ制御を示すフローチャートである。
【図３】上記ワイヤレス充電台における制御部による第１スイッチのＯＮ/ＯＦＦ制御を示すフローチャートである。
【図４】本発明の他の実施形態に係る音鳴り対策装置を搭載したワイヤレス充電台の構成を示すブロック図である。
【発明を実施するための形態】
【００１２】
本発明の一実施形態について、図１〜図３に基づいて説明すれば以下のとおりである。以下の特定の実施形態で説明する構成以外の構成については、必要に応じて説明を省略する場合があるが、他の実施形態で説明されている場合は、その構成と同じである。また、説明の便宜上、各実施形態に示した部材と同一の機能を有する部材については、同一の符号を付し、その説明を省略する。
【００１３】
〔実施形態１〕
（ワイヤレス充電台の概略構成）
図１は、本発明の一実施形態に係る音鳴り対策装置を搭載したワイヤレス充電台（電子機器）の構成を示す図である。図１に示すように、ワイヤレス充電台１は、スイッチング電源装置を内蔵するＡＣアダプタ２と接続され、ＡＣアダプタ２から電力が供給され、ワイヤレス充電台１上に載せられた被充電端末３の充電を行う。ワイヤレス充電台１は、第１スイッチ（スイッチ）４と、第２スイッチ５と、検出回路６と、送電回路７と、バッテリー８と、電流計９と、電流モニタ１０と、電圧モニタ１１と、制御部１２とを備える。音鳴り対策装置は、第１スイッチ４、バッテリー８および制御部１２にて構成される。
【００１４】
第１スイッチ４は、ＡＣアダプタ２とワイヤレス充電台１の負荷（検出回路６、送電回路７、バッテリー８、電流計９、電流モニタ１０、電圧モニタ１１、制御部１２など）との電気的な接続の有無を切り替えるものである。第１スイッチ４がＯＮ状態でＡＣアダプタ２とワイヤレス充電台１の負荷とが電気的に接続されてＡＣアダプタ２からの電力の供給が可能となる。第１スイッチ４がＯＦＦ状態でＡＣアダプタ２とワイヤレス充電台１の負荷との電気的な接続が切り離され、ＡＣアダプタ２からの電力の供給が不可能とする。このような第１スイッチ４のＯＮ/ＯＦＦの切り替えは、後述する制御部１２にて行われる。
【００１５】
第２スイッチ５は、バッテリー８とＡＣアダプタ２及びワイヤレス充電台１の負荷との接続を制御するものである。第２スイッチ５がＯＮ状態でバッテリー８とＡＣアダプタ２およびワイヤレス充電台１の負荷とが接続される。第２スイッチ５がＯＦＦ状態でバッテリー８とＡＣアダプタ２およびワイヤレス充電台１の負荷とが切り離される。第２スイッチ５は、ＡＣアダプタ２からバッテリー８への過充電を防ぐために設置されており、第２スイッチ５がＯＦＦとなるのは、バッテリー８が十分に充電されている場合である。
【００１６】
検出回路６は、ワイヤレス充電台１の所定の載置台に被充電端末３が載せられたかどうかを検出コイル６ａにて検出し、検出した結果を示す信号を制御部１２に通知する回路である。検出コイル６ａが、載置台上に載せられた被充電端末３からの信号を検出する。
【００１７】
送電回路７は、載置台に載せられた被充電端末３に電力を送る回路である。送電回路７は、制御部１２から被充電端末３に対して送電を行うよう指示を受けると、被充電端末３への送電を開始する。また、送電回路７は、制御部１２から被充電端末３への送電を停止するよう指示を受けると、被充電端末３への送電を停止する。
【００１８】
ワイヤレス方式で用いられる送電方法としては、２つの隣接するコイルの片方に電流を流すと発生する磁束を媒介して隣接したもう片方に起電力が発生する電磁誘導を用いた「電磁誘導方式」、電流を電磁波に変換しアンテナを介して送受信する技術である「電波方式」、および電磁界の共鳴現象を利用した「電磁界共鳴方式」等がある。図１では送電コイル７ａを備えた電磁誘導方式を示している。
【００１９】
送電回路７は、また、載置台上に載せられた被充電端末３との間で種々の情報のやり取りを行うものでもある。例えば、送電コイル７ａを用いて行う場合、送電コイル７ａに流す電流に情報を重畳させて送信し、被充電端末３から送信された情報については送電コイル７ａが検出する。被充電端末３は、フル充電となった場合に、フル充電となったことを通知する信号をワイヤレス充電台１へと送り、これを送電回路７が検出する。送電回路７は、検出したフル充電となったことを知らせる信号を制御部１２へと通知する。
【００２０】
バッテリー８は、第１スイッチ４および第２スイッチ５が共にＯＮの状態で、ＡＣアダプタ２から供給された電力を蓄えるものである。バッテリー８は、第１スイッチ４がＯＦＦとなり、ＡＣアダプタ２とワイヤレス充電台１との接続が遮断された場合に、ワイヤレス充電台１の負荷に対して、電力を送るものである。但し、詳細については後述するが、制御部１２は、被充電端末３の充電を行っていない場合に、第１スイッチ４をＯＦＦとしてワイヤレス充電台１とＡＣアダプタ２との接続を遮断し、被充電端末３が載置台に載せられると、第１スイッチ４をＯＮとしてワイヤレス充電台１とＡＣアダプタ２との接続を再開する。したがって、第１スイッチ４がＯＦＦされている間、送電回路７の駆動も停止されているので、バッテリー８から供給された電力を消費するのは、送電回路７を除く負荷となる。
【００２１】
本実施形態のワイヤレス充電台１においてバッテリー８は、例えば、ニッケル水素電池やリチウムイオン電池等の二次電池である。二次電池は過充電に弱いため、過充電を防ぐために、前記した第２スイッチ５が必要となる。
【００２２】
電流計９は、バッテリー８から出力される電流を計測して電流モニタ１０に出力するものである。電流モニタ１０は、電流計９にて計測された電流値を取得し、数値化して電流値情報として制御部１２に送るものである。電圧モニタ１１は、バッテリー８の両端子の電圧を測定して数値化し、電圧値情報として制御部１２に送信するものである。
【００２３】
制御部１２は、ワイヤレス充電台１の各部を制御するものである。制御部１２は、検出回路６から通知される、被充電端末３が載せられているか否かの検出結果を知らせる信号と、送電回路７から通知される、被充電端末３がフル充電となったことを知らせる信号とに応じて、送電回路７に対して被充電端末３への送電を行うか否かを指示する。つまり、被充電端末３が載せられており、被充電端末３がフル充電でない場合は送電を行わせ、被充電端末３が載せられていない場合、或いは載せられていても被充電端末３がフル充電である場合は、被充電端末３への送電を行わないように指示する。
【００２４】
また、制御部１２は、電流モニタ１０および電圧モニタ１１から送信される電流値情報および電圧値情報をもとに、バッテリー８の容量（充電量）を求める。そして、制御部１２は、検出回路６から通知される、被充電端末３が載せられているか否かの検出結果を知らせる信号と被充電端末３がフル充電となったことを知らせる信号、およびバッテリー８の容量に応じて、第１スイッチ４のＯＮ/ＯＦＦを制御する。また、第２スイッチ５については、制御部１２は、検出回路６から通知される信号にかかわりなく、バッテリー８の容量に応じてＯＮ/ＯＦＦを制御する。
【００２５】
具体的には、制御部１２は、第１スイッチ４、第２スイッチ５の切り替えを、以下のような条件で行っている。
＜第１スイッチ４の切り替え条件１：ＯＮ→ＯＦＦ＞
被充電端末３を非充電の状態であり、かつバッテリー８の容量が第１閾値（例：４５０ｍＡｈ）以上ある場合。制御部１２は、検出回路６から通知される信号に基づいて、被充電端末３が載せられていない場合、或いは載せられていても被充電端末３がフル充電である場合は、被充電端末３は非充電状態であると判断する（スイッチング電源装置と負荷との電気的な接続を遮断する、電子機器の負荷の動作状態が、予め定められた音鳴りが発生する動作状態に相当）。
＜第１スイッチ４の切り替え条件２：ＯＦＦ→ＯＮ＞
被充電端末３が載せられたことを検知した場合（スイッチング電源装置と負荷とを電気的に接続する、電子機器の負荷の動作状態が、予め定められた音鳴りが発生する動作状態以外に相当）、または、バッテリー８の容量が第２閾値（例：１００ｍＡｈ）未満となった場合。
＜第２スイッチ５の切り替え条件１：ＯＦＦ→ＯＮ＞
初回起動時、または、バッテリー８の容量が第１閾値（例：４５０ｍＡｈ）未満となった場合。
＜第２スイッチ５の切り替え条件２：ＯＮ→ＯＦＦ＞
バッテリー８の容量が第３閾値（例：６００ｍＡｈ）を超えた場合。
【００２６】
（ワイヤレス充電台の動作）
図２、図３を用いて、図１に示す本実施形態に係るワイヤレス充電台の動作について詳しく説明する。図２は、制御部１２による第２スイッチ５のＯＮ/ＯＦＦ制御を示すフローチャートである。図３は、制御部１２による第１スイッチ４のＯＮ/ＯＦＦ制御を示すフローチャートである。
【００２７】
ここでは、一例として、バッテリー８の容量の第１閾値を４５０ｍＡｈ、第２閾値を１００ｍＡｈ、第３閾値を６００ｍＡｈとする。また、ワイヤレス充電台１は、デフォルトとして、第１スイッチ４がＯＮ、第２スイッチ５がＯＦＦとなっている。
【００２８】
まずは、図２を用いて、制御部１２による第２スイッチ５のＯＮ/ＯＦＦ制御について説明する。第２スイッチ５は、バッテリー８の容量が十分ある場合（第３閾値を超えた場合）にのみＯＦＦされる。具体的には、制御部１２は、バッテリー８の容量が第３閾値である６００ｍＡｈを超えると第２スイッチ５をＯＦＦし、第１閾値である４５０ｍＡｈ未満となると再びＯＮとする。
【００２９】
図２に示すように、制御部１２は、初回起動時であるか否かを判断し（Ｓ１）、初回起動時であれば、第２スイッチ５をＯＮして、バッテリー８とＡＣアダプタ２および負荷とを接続する（Ｓ２）。一方、初回起動時でない場合は、Ｓ３に進み、バッテリー８の容量が、第３閾値である６００ｍＡｈを超えていないか判断する。Ｓ３は、ＹＥＳと判断するまで繰り返され、制御部１２は、バッテリー８の容量が第３閾値を超えたと判断すると、過充電となることを阻止するベく、第２スイッチ５をＯＦＦして、バッテリー８とＡＣアダプタ２および負荷との接続を遮断する（Ｓ４）。
【００３０】
その後、Ｓ５に進み、バッテリー８の容量が、第１閾値である４５０ｍＡｈ未満となっていないかを判断する。Ｓ５も、ＹＥＳと判断するまで繰り返され、制御部１２は、バッテリー８の容量が第１閾値未満となったと判断すると、第２スイッチ５をＯＮして、バッテリー８とＡＣアダプタ２および負荷との接続を再開する（Ｓ６）。その後、Ｓ３に戻り、再び過充電に備える。以降、Ｓ３〜Ｓ６の処理を繰り返し、バッテリー８の容量が第３閾値を超えると、第２スイッチ５をＯＦＦして充電を停止し、バッテリー８の容量が第１閾値未満となると、第２スイッチ５をＯＮして充電を再開する。
【００３１】
続いて、図３を用いて、制御部１２による第１スイッチ４のＯＮ/ＯＦＦ制御について説明する。制御部１２は、ワイヤレス充電台１が被充電端末３を充電していない非充電の状態であるか否かを判断する（Ｓ１１）。制御部１２は、非充電の状態であると判断するまで、Ｓ１１の判断を繰り返す。Ｓ１１において、非充電の状態であると判断すると、制御部１２は、次にバッテリー８の容量が第１閾値である４５０ｍＡｈ以上であるかどうかを判断する（Ｓ１２）。バッテリー８の容量が第１閾値未満であると判断した場合はＳ１に戻る。一方、バッテリー８の容量が第１閾値以上であると判断すると、第１スイッチ４をＯＦＦして、ＡＣアダプタ２とワイヤレス充電台１との接続を遮断する（Ｓ１３）。
【００３２】
これにより、ＡＣアダプタ２はワイヤレス充電台１への電力供給を停止し、これ以降、第１スイッチ４が再びＯＮとなるまで、ワイヤレス充電台１の負荷への電力供給は、バッテリー８にて行われることとなる。したがって、ＡＣアダプタ２が、被充電端末３を充電していない低負荷のワイヤレス充電台１に対して、スイッチング周波数を低下させて電力を供給することはなく、音鳴りそのものが発生しなくなる。
【００３３】
次に、制御部１２は、ワイヤレス充電台１の載置台に被充電端末３が載せられたかどうかを判断する（Ｓ１４）。被充電端末３が載せられたと判断すると、第１スイッチ４をＯＮとして、ＡＣアダプタ２とワイヤレス充電台１との接続を再開する（Ｓ１６）。これ以降、ワイヤレス充電台１の負荷への電力供給は、ＡＣアダプタ２にて行われることとなり、送電回路７に対して十分な電力を供給して、被充電端末３の充電を行うことができる。
【００３４】
一方、Ｓ１４にて、被充電端末３が載せられていないと判断した場合は、Ｓ１５に進み、バッテリー８の容量が第２閾値である１００ｍＡｈ未満となっているかを判断し、バッテリー８の容量が第２閾値未満であると判断した場合も、Ｓ１６に進む。つまり、バッテリー８の容量が少なくなった場合は、充電を行うために、ワイヤレス充電台１とＡＣアダプタ２との接続を再開する。この場合、ＡＣアダプタ２からみたワイヤレス充電台１の消費電力としては、バッテリー８を充電するための電力が加算されるので、その際のスイッチング周波数は人間の可聴周波数領域にかかることはなく、音鳴りの問題はない。なお、Ｓ１５において、バッテリー８の容量が第２閾値よりも多いと判断した場合は、Ｓ１４に戻り、Ｓ１４、Ｓ１５の何れかでＹＥＳと判断するまで処理を繰り返す。
【００３５】
なお、バッテリー８の容量の第１閾値を４５０ｍＡｈ、第２閾値を１００ｍＡｈとしているのは、ワイヤレス充電台１がＡＣアダプタ２から切り離された状態にある待機時の消費電力に基づいて設定されている。具体的には、ワイヤレス充電台１では、待機時、検出回路６が主に電力を消費することとなるが、待機時の消費電流が７０ｍＡで５Ｖで動作している場合、１時間あたりに消費するバッテリー８の容量は７０ｍＡｈとなる。そこで、少なくとも睡眠時間に相当する５時間、音鳴りを防止できるように、待機時の消費電力を３５０ｍＡｈとしている。
【００３６】
また、ここでは、音鳴り対策装置を搭載した電子機器として、ワイヤレス充電台を例示したが、スイッチング電源装置が給電先の電子機器の待機時の消費電力に合わせてスイッチング周波数を低下させた場合に、スイッチング周波数が人間の可聴周波数領域にかかる電子機器であれば、本発明を利用できる。
【００３７】
〔実施形態２〕
図４を用いて、本発明の他の実施形態に係る音鳴り対策装置を搭載したワイヤレス充電台の構成について説明する。本実施形態では、ワイヤレス充電台１Ａは、バッテリー２０として、二次電池に代えて大容量キャパシタを用いている。大容量キャパシタの場合、過電圧をかけない限り過充電となることはない。そのため、図４に示すように、本実施の形態に係るワイヤレス充電台１Ａにおいては、第２スイッチ５が取り除かれている。
【００３８】
なお、制御部１２による第１スイッチ４のＯＮ/ＯＦＦ制御は、実施の形態１と同様である。
【００３９】
〔まとめ〕
本発明の態様１に係る音鳴り対策装置は、スイッチング電源装置（ＡＣアダプタ２）から給電される電子機器（ワイヤレス充電台１）に搭載される音鳴り対策装置であって、前記スイッチング電源装置と前記電子機器の負荷との間に配置され、前記スイッチング電源装置と前記負荷との電気的な接続の有無を切り替えるスイッチ（第１スイッチ４）と、前記スイッチング電源装置によって充電され、前記電子機器の負荷に給電可能なバッテリー（８）と、前記スイッチを制御する制御部（１２）とを備え、前記制御部は、前記電子機器の負荷の動作状態が、予め定められた音鳴りが発生する動作状態以外では、前記スイッチング電源装置と前記負荷とを電気的に接続し、前記電子機器の負荷の動作状態が、予め定められた音鳴りが発生する動作状態となると、前記スイッチング電源装置と前記負荷との電気的な接続を遮断する構成である。
【００４０】
上記の構成によれば、電子機器がバッテリーを備え、かつ、制御部は、第１スイッチを制御して、電子機器の負荷の動作状態が、予め定められた音鳴りが発生する動作状態以外では、スイッチング電源装置と前記負荷とを電気的に接続し、電子機器の負荷の動作状態が予め定められた音鳴りとが発生する動作状態となると、スイッチング電源装置と負荷との電気的な接続を遮断する。
【００４１】
したがって、制御部が電気的な接続を遮断する電子機器の動作状態をとして、スイッチング電源装置が、給電先の電子機器の消費電力に合わせてスイッチング周波数を低下させた場合に、そのスイッチング周波数が人間の可聴周波数領域にかかる場合の電子機器の動作状態を、音鳴りが発生する動作状態として設定しておくことで、電子機器の消費電力が、スイッチング電源装置による音鳴りが発生するような場合には、スイッチング電源装置と電子機器とを切り離して、バッテリーからの給電とすることで、スイッチング電源装置からの音鳴りを容易に防止できる。しかも、これによれば、スイッチング電源装置のスイッチング周波数を調整することなくスイッチング電源装置の音鳴りを防止できるので、音鳴り防止が安価にて実現できる。
【００４２】
本発明の態様２に係る音鳴り対策装置は、さらに、前記制御部は、前記電子機器の負荷の動作状態が、予め定められた音鳴りが発生する動作状態であり、前記スイッチング電源装置と前記負荷との電気的な接続を遮断している場合でも、前記バッテリーの容量が予め定められた残量以下となると、前記スイッチング電源装置と前記負荷とを電気的に接続する構成である。
【００４３】
これによれば、スイッチング電源装置からの音鳴りを防止するために、スイッチング電源装置と電子機器とを切り離して、バッテリーから給電を行っている最中でも、バッテリーの容量が不足した場合に、スイッチング電源装置と電子機器との電気的な接続を再開して、バッテリーを充電することができる。
【００４４】
また、たとえ、制御部が電気的な接続を遮断する電子機器の動作状態であっても、スイッチング電源装置からみた電子機器の消費電力としては、バッテリーを充電するための電力が加算されるので、その際のスイッチング周波数は人間の可聴周波数領域にかかることはなく、音鳴りの問題はない。
【００４５】
本発明の態様３に係る電子機器は、本発明の音鳴り対策装置を備えた電子機器である。
【００４６】
ＡＣアダプタなどのスイッチング電源装置から給電される電子機器は、通常、スイッチング電源装置も込みで販売されるため、高コストな音鳴り対策が施されたスイッチング電源装置の場合は、電子機器のコストも高くなる。本発明によれば、スイッチング電源装置のコストには、一切の音鳴り対策が不要となるので、ひいては、スイッチング電源装置込みの電子機器の価格を安価にできる。
【００４７】
本発明の態様３に係る電子機器は、ワイヤレス充電台は、スイッチング電源装置から給電される、被充電端末をワイヤレスで充電するワイヤレス充電台であって、本発明の音鳴り対策装置を備え、前記制御部は、前記被充電端末の充電を行っていない場合に、前記スイッチング電源装置と前記負荷との電気的な接続を遮断し、前記被充電端末の充電を行っている場合に、前記スイッチング電源装置と前記負荷とを電気的に接続する構成である。
【００４８】
ワイヤレス充電台は、被充電端末の充電を行っていない待機時の駆動において、スイッチング電源装置を搭載したＡＣアダプタなどからの音鳴りの問題があるが、これにより、音鳴りの問題のない、ワイヤレス充電器を安価にて提供できる。
【００４９】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【００５０】
本発明は、ワイヤレス充電台などの、スイッチング電源装置から給電される電子機器に利用することができる。
【符号の説明】
【００５１】
１，１Ａ  ワイヤレス充電台（電子機器）
２  ＡＣアダプタ（スイッチング電源装置）
３  被充電端末
４  第１スイッチ（スイッチ）
５  第２スイッチ
６  検出回路
６ａ  検出コイル
７  送電回路
７ａ  送電コイル
８  バッテリー
９  電流計
１０  電流モニタ
１１  電圧モニタ
１２  制御部
２０  バッテリー
【図１】
2014186557.tif 000003
【図２】
2014186557.tif 000004
【図３】
2014186557.tif 000005
【図４】
2014186557.tif 000006